(57)【要約】      （修正有）【課題】バックアップ用の補助電池が組み込まれた電子機器において、補助電池の取り出しを容易かつ分かり易く行なえるようにした電子機器を提供する。【解決手段】機器の筐体の一部を構成する前面板を取り外すと補助電池の収納部６２が開放され、この収納部６２では、機器に内蔵される回路基板に補助電池６０を接続するフレキシブルプリント配線板６６を有し、このフレキシブルプリント配線板６６の先端部に補助電池６０が取り付けられ、このフレキシブルプリント配線板６６における補助電池の取り付け部６８の裏面側６８ａが開口６３から露出する状態で補助電池６０が収納部６２に収納される構造とする。【選択図】図９
2006185870.tif 000002
【特許請求の範囲】
【請求項１】
バックアップ用の補助電池が組み込まれてなる電子機器において、
機器の筐体の一部を取り外すと補助電池の収納部が開放され、この収納部では、機器に内蔵される回路基板に上記補助電池を接続するフレキシブルプリント配線板を有し、このフレキシブルプリント配線板の先端部に上記補助電池が取り付けられ、このフレキシブルプリント配線板における補助電池の取り付け部の裏面側が収納部の開口から露出する状態で上記補助電池が上記収納部に収納される構造としたことを特徴とする電子機器。
【請求項２】
請求項１に記載の電子機器において、
上記フレキシブルプリント配線板は、上記回路基板に実装されるコネクタ端子に差し込まれて接続され、このコネクタ端子から上記フレキシブルプリント配線板を引き抜くことにより上記補助電池の取り外しが可能な構造としたことを特徴とする電子機器。
【請求項３】
請求項１に記載の電子機器において、
上記収納部に、上記補助電池が収納された状態で上記補助電池と当接し、上記開口から露出されるフレキシブルプリント配線板の裏面側が上記開口の開口面とほぼ同一面となるように上記補助電池を支持する支持部を設けたことを特徴とする電子機器。
【発明の詳細な説明】
【技術分野】
【０００１】
本発明は、バックアップ用の補助電池が組み込まれてなる電子機器に関し、特にこの補助電池の取り外しを容易に行なえるようにした構造に係るものである。
【背景技術】
【０００２】
例えばビデオカメラ等の電子機器においては、時刻や動作状態を記憶しておくメモリが内蔵されており、そこではこのメモリの記憶を維持するためのバックアップ用電源を供給する補助電池(バックアップ電池)が組み込まれている。
【０００３】
この補助電池は、環境問題の観点から、撮像装置の廃棄時には撮像装置から取り外し、別個に処分することが望まれており、そのため、この補助電池の取り外しを容易に行なえるようにした電子機器の構造が求められている。
【０００４】
従来、このような補助電池の取り外し構造を備えた電子機器としては、例えば下記の特許文献１に開示されるようなものがある。
即ちこの特許文献１の構造は、蓋板を開蓋して電池ケースに形成された電池取り出し用開口部を開放させ、補助電池に取り付けられたピン状端子をプリント基板上に取り付けられたピンレセプタクルから抜き取ることにより、補助電池を電池取り出し用開口部から取り出すように構成されている。
【特許文献１】特開平８−２５５６０６号公報
【発明の開示】
【発明が解決しようとする課題】
【０００５】
しかしながら、このような補助電池の取り出し構造では、蓋板を取り外した後、指を開口部の奥まで差し込んで補助電池を取り外すようにしなければならないので、操作が面倒であり、また取り出し方法が分かりにくいという問題があった。
【０００６】
本発明は斯かる点に鑑みてなされたもので、補助電池の取り出しを容易かつ分かり易く行なえるようにした電子機器を提供することを目的とする。
【課題を解決するための手段】
【０００７】
上記の目的を達成するために本発明は、
バックアップ用の補助電池が組み込まれてなる電子機器において、
機器の筐体の一部を取り外すと補助電池の収納部が開放され、この収納部では、機器に内蔵される回路基板に補助電池を接続するフレキシブルプリント配線板を有し、このフレキシブルプリント配線板の先端部に補助電池が取り付けられ、このフレキシブルプリント配線板における補助電池の取り付け部の裏面側が収納部の開口から露出する状態で補助電池が収納部に収納される構造としたことを特徴とするものである。
【０００８】
また本発明は、上記構成の電子機器において、
フレキシブルプリント配線板は、回路基板に実装されるコネクタ端子に差し込まれて接続され、このコネクタ端子からフレキシブルプリント配線板を引き抜くことにより補助電池の取り外しが可能な構造としたことを特徴とするものである。
【０００９】
さらに本発明は、上記構成の電子機器において、
収納部に、補助電池が収納された状態で補助電池と当接し、開口から露出されるフレキシブルプリント配線板の裏面側が開口の開口面とほぼ同一面となるように補助電池を支持する支持部を設けたことを特徴とするものである。
【発明の効果】
【００１０】
本発明の電子機器では、機器の筐体の一部を構成する前面板を取り外すと補助電池の収納部が開放され、この収納部では、機器に内蔵される回路基板に補助電池を接続するフレキシブルプリント配線板を有し、このフレキシブルプリント配線板の先端部に補助電池が取り付けられ、このフレキシブルプリント配線板における補助電池の取り付け部の裏面側が開口から露出する状態で補助電池が収納部に収納される構造としたことにより、補助電池を取り外すときには、開口から露出しているフレキシブルプリント配線板を指先で摘んで引き出すことでフレキシブルプリント配線板と一体に補助電池が取り出されるので、極めて容易で、かつ分かり易く補助電池を取り出すことができる。
【００１１】
また本発明の電子機器では、回路基板に実装されるコネクタ端子にフレキシブルプリント配線板が差し込まれて接続され、このコネクタ端子からフレキシブルプリント配線板を引き抜くことにより補助電池の取り外しが可能な構造としたことにより、一段と容易で、かつ確実に補助電池を取り外すことができる。
【００１２】
さらに本発明の電子機器では、収納部に補助電池が収納された状態で補助電池と当接し、開口から露出されるフレキシブルプリント配線板の裏面側が開口の開口面とほぼ同一面となるように補助電池を支持する支持部を設けたことにより、開口から露出するフレキシブルプリント配線板が開口から沈み込む状態となることはないので、フレキシブルプリント配線板を引き出し易く、常に補助電池の取り外しを容易に行なうことができる。
【発明を実施するための最良の形態】
【００１３】
以下、図面を参照しながら本発明の実施例について詳細に説明する。本例では、電子機器である撮像装置として、ＶＴＲ一体型ビデオカメラを例示して説明を行なう。
先ず、図１〜図７を参照して、本例の撮像装置の概要について述べる。図１は本例の撮像装置を手で持った状態を示す斜視図、図２は撮像装置を前面側から見た斜視図、図３は撮像装置を背面側から見た斜視図、図４は撮像装置のパネルモニタを開いた状態を示す斜視図、図５はパネルモニタの使用状態を示す斜視図、図６は撮像装置のカセット収納部を開いた状態を示す斜視図、図７は撮像装置にメモリーカードを挿入する状態を示す斜視図である。
【００１４】
本例の撮像装置は、撮影した動画をテープカセットに記録して再生する機能を有し、さらに静止画をメモリーカードに記録して再生する機能を備えたビデオカメラ機器である。
この撮像装置１は、カメラ本体２の前面２ａの上部に突出して撮像部３を有し、図１に示す如くカメラ本体２を片手(右手)で縦型に持った状態で、撮像部３の前面の撮像レンズ４を前方の被写体に向けて撮影を行なうものである。撮像レンズ４から撮像部３に入射された画像は、カメラ本体２に内蔵される撮像素子で画像信号に変換されて、テープカセットまたはメモリーカードに記録される。
【００１５】
この撮像部３においては、図２に示す如く通常時には撮像レンズ４がレンズシャッター５で覆われており、撮影モードに入るとレンズシャッター５が開かれて撮像レンズ４が露出されるようになっている。さらに撮像部３の前面には、撮像レンズ４の上方に位置してフラッシュ発光部６が設けられており、静止画撮影モードにおける夜間撮影時にはこのフラッシュ発光部６から前方の被写体に向けてフラッシュ光が発光される。
【００１６】
上記撮像部３の反対側においてカメラ本体２の背面２ｄの上部には、図３に示すようにビューファインダ部７が設けられている。このビューファインダ部７は、背面側の窓部８から、カメラ本体２に内蔵される小型の液晶表示画面を覗いて撮影画像または再生画像を見るものであり、窓部８の周囲には遮光用のアイカップ９が設けられている。また図６に示す如く、アイカップ９の下方にはフォーカス調整つまみ１０が設けられており、このフォーカス調整つまみ１０をスライド操作することで、窓部８から内蔵の表示画面を見るときのフォーカスを調整できるようになっている。
【００１７】
さらに本例の撮像装置１では、図５に示すように、カメラ本体２の外部で画像を見る手段として、大型の液晶表示画面１３を有するパネルモニタ１２が設けられている。このパネルモニタ１２は、Ｘ軸とＹ軸の直交する２軸を回動支点として回動するように、連結部材１４を介してカメラ本体２の左側面２ｂに開閉自在に取り付けられており、不使用時には図３に示す如く表示画面１３を内側にした状態でカメラ本体２の左側面２ｂに沿って縦型に折り畳まれるように閉じられている。そして、このパネルモニタ１２を使用するときには、図４に示すようにＸ軸を回動支点としてパネルモニタ１２を水平位置まで引き上げるように９０°回動させて開き、それからさらにＹ軸を回動支点としてパネルモニタ１２を約９０°回動させて、図５に示す如く表示画面１３を使用者側に向けるようにして使用する。
【００１８】
なお、この撮像装置１においてパネルモニタ１２は、その取り付け部に組み込まれたトグル機構によって常に折り畳み状態に保持されるように付勢されていると共に、このパネルモニタ１２を水平に開いた状態ではその角度で安定して保持されるようになっている。
【００１９】
上記パネルモニタ１２が設けられるカメラ本体２の左側面２ｂと反対側の右側面２ｃの下部には、カメラ本体２を安定した状態で持つためのグリップベルト１６が設けられている。このブリップベルト１６は、カメラ本体２の背面２ｄの固定部１７と前面２ａ側の取り付け部１８との間に装着されるストラップベルト１９と、このストラップベルト１９に装着される甲当てパッド２０とで構成され、図１に示す如く、このグリップベルト１６とカメラ本体２との間に右手を通した状態でカメラ本体２を持つことにより、グリップベルト１６で手の甲側を保持し、カメラ本体２を安定した状態で持つことができるものである。
【００２０】
そして本例の撮像装置１では、上記の如くカメラ本体２を右手で持った状態で、その手の指先で操作できる位置に操作部が設けられている。図３に示す如く、カメラ本体２の背面２ｄに設けられる操作部２２には、電源オン／オフ及び動作モード切り換え用のスライドスイッチ２３、開閉蓋のロック解除用のスライドスイッチ２４、録画ボタン２５、画面表示切り換えボタン２６、逆光補正ボタン２７、フラッシュ発光モード切り換えボタン２８、簡易撮影モード設定ボタン２９を有し、これらのスイッチ２３，２４及びボタン２５，２６，２７，２８，２９は、図１のようにカメラ本体２を手で持った状態で親指の指先で操作することができる。
【００２１】
また図２に示す如く、カメラ本体２の右側面２ｃの上部前方に設けられる操作部３１には、撮影時のズーム操作用のスライドスイッチ３２と静止画撮影用のシャッターボタン３３を有し、これらのスイッチ３２及びボタン３３は、図１のようにカメラ本体２を手で持った状態で人差指の指先で操作することができる。
【００２２】
また本例の撮像装置１においては、カメラ本体２の左側面２ｂの前部に設けられた操作部３５に、撮影時の手動調整を行なうための切り換えボタン３６と調整ダイヤル３７を有し、さらにパネルモニタ１２には、表示画面１３の下に録画ボタン３９、撮影時のズーム操作ボタン４０、画面表示サイズ変更ボタン４１が設けられている。なお、上記操作部３５の切り換えボタン３６と調整ダイヤル３７及びパネルモニタ１２の各ボタン３９，４０，４１は、カメラ本体２を持つ右手と反対側の左手の指先で操作するものである。
【００２３】
さらにカメラ本体２の上面２ｅには、マイクロホン部４３とアクセサリ取り付け部４５が設けられている。マイクロホン部４３には多数の通音孔が形成されており、この通音孔を通してカメラ本体２に内蔵されたマイクロホンによって音声が収録される。アクセサリ取り付け部４５はカバー４６で覆われており、このカバー４６を取り外すと各種アクセサリを取り付けるためのシューが露出されるようになっている。またカメラ本体２の底面２ｆには、撮像装置を付属のクレイドル装置と電気的に接続するためのコネクタ４８と、三脚に取り付けるための螺子穴４９が設けられている。
【００２４】
本例の撮像装置１においては、図６に示す如く、カメラ本体２の右側面２ｃから背面２ｄにかけての筐体が開閉蓋５０となっており、操作部２２のスライドスイッチ２４を操作するとこの開閉蓋５０のロックが解除されて開閉自在となる。この開閉蓋５０を開くと図６のようにカメラ本体２の内部のカセット収納部５１が開放され、このカセット収納部５１に設けられたカセット装着装置５２に記録媒体であるテープカセットが装着される。カセット装着装置５２はカセットホルダ５３を備え、開閉蓋５０を開くとこのカセット装着装置５２がカセット収納部５１から迫出してカセットホルダ５３が開き、その状態でカセットホルダ５３にテープカセットを挿入した後、カセットホルダ５３を押して閉じることによりカセット装着装置５２がカセット収納部５１に引き込まれて、テープカセットが所定の装着位置にローディングされる如く動作する。そして、このようにテープカセットのローディングが完了した状態で開閉蓋５０を閉じることにより、テープカセットに対する記録再生が可能な状態となる。
【００２５】
一方、静止画記録用のメモリーカード５５は、図７に示す如く、カメラ本体２の背面２ｄにおいてビューファインダ部７の下方に設けられたカードスロット５６に挿入されるようになっており、このカードスロット５６にメモリーカード５５が装填された状態でメモリーカード５５に対する記録再生が行なわれる。
【００２６】
なお、本例の撮像装置１では、駆動用のバッテリーはカメラ本体２に内蔵されている。このバッテリーの収納部は開閉蓋５０に設けられており、このバッテリー収納部を閉じるカバー５８が開閉蓋５０の下部に設けられ、このカバー５８を取り外すことでバッテリーの交換が行なえるようになっている。
【００２７】
さらに本例の撮像装置においては、時刻や動作状態を記憶しておくメモリのバックアップ用の補助電池が組み込まれている。この補助電池は、環境問題の観点から、撮像装置の廃棄時には撮像装置から取り外し、別個に処分することが望ましい。そのため、特に本例の撮像装置では、この補助電池の取り外しを容易に行なえるようにした構造が採用されている。
【００２８】
この補助電池の取り外し構造を図８〜図１０で詳細に説明する。図８に示すように、本例の撮像装置１においては、カメラ本体２の前面２ａに、カメラ本体２の筐体２Ａの一部を構成する前面板６１を有し、この前面板６１を取り外すことによって補助電池の収納部６２が開放される構造となっている。
【００２９】
図９及び図１０に示す如く、この収納部６２は、筐体２Ａの前面に形成された開口６３の奥に釦型の補助電池６０を収納するものであり、ここで補助電池６０は、カメラ本体２に内蔵される回路基板６５にフレキシブルプリント配線板６６を介して電気的に接続されている。このフレキシブルプリント配線板６６は、回路基板６５に実装されたコネクタ端子６７に差し込んで接続されており、このフレキシブルプリント配線板６６の先端部に補助電池６０が取り付けられている。
【００３０】
フレキシブルプリント配線板６６の先端部は、補助電池６０の径とほぼ等しい円形状に形成されており、その部分が補助電池６０の取り付け部６８となっている。この取り付け部６８において補助電池６０は、電極板６９で押さえられるようにして固定保持される。さらにフレキシブルプリント配線板６６の先端部には、補助電池６０の取り出し時に爪を掛けるための凸部６６ａが延長形成されている。
【００３１】
また収納部６２においては、開口６３の奥に支持突起部７０が筐体２Ａから一体に突出形成されており、補助電池６０を収納した状態ではこの支持突起部７０の先端に補助電池６０が当接して支持される構造となっている。
【００３２】
このように構成される収納部６２では、図９(Ａ)及び図１０(Ａ)に示すように、フレキシブルプリント配線板６６における補助電池の取り付け部６８の裏面側６８ａが開口６３から露出する状態で補助電池６０が収納される。この状態で支持突起部７０は、その先端が補助電池６０と当接し、これによって開口６３から露出されるフレキシブルプリント配線板６６の裏面側６８ａが開口６３の開口面とほぼ同一面となるように補助電池６０を支持する。
【００３３】
本例の撮像装置１においては、この補助電池の収納部６２は、図８に示す前面板６１によって覆われている。ここで前面板６１は固定用の突起６１ａを有し、この突起６１ａをカメラ本体２の筐体２Ａ側に形成された取り付け穴７１に挿入した状態でこれを溶着して固定するものである。
【００３４】
そして、本例の撮像装置１から補助電池６０を取り出すときには、先ずこの前面板６１を取り外して補助電池の収納部６２を開放させる。この場合、カメラ本体２の筐体２Ａと前面板６１との隙間にドライバーの先端部などを挿入して、前面板６１をこじ開けるようにして取り外す。
【００３５】
このようにして前面板６１を取り外して開放される補助電池の収納部６２では、図９(Ａ)及び図１０(Ａ)に示す如く、補助電池６０が取り付けられるフレキシブルプリント配線板６６の裏面側６８ａが開口６３から露出しており、そこでこのフレキシブルプリント配線板６６の先端の凸部６６ａに爪を掛けて、フレキシブルプリント配線板６６を指先で摘んで収納部６２から引き出すようにする。この場合、収納部６２では、補助電池６０が支持突起部７０に当接して支持されていることにより、フレキシブルプリント配線板６６が開口６３から沈み込む状態となることはないので、フレキシブルプリント配線板６６の凸部６６ａに爪を掛け易く、フレキシブルプリント配線板６６を容易に引き出すことができる。
【００３６】
こうしてフレキシブルプリント配線板６６を引き出すことにより、図９(Ｂ)及び図１０(Ｂ)に示すように、フレキシブルプリント配線板６６の先端部に取り付けられた補助電池６０がフレキシブルプリント配線板６６と一体に取り出される。そしてさらにこの状態から、フレキシブルプリント配線板６６を強く引っ張ることにより、コネクタ端子６７からフレキシブルプリント配線板６６が引き抜かれて、フレキシブルプリント配線板６６ごと補助電池６０が取り外される。
【００３７】
このように本例の撮像装置では、カメラ本体２の筐体２Ａの一部を構成する前面板６１を取り外すと補助電池の収納部６２が開放され、この収納部６２では、カメラ本体２に内蔵される回路基板６５に補助電池６０を接続するフレキシブルプリント配線板６６を有し、このフレキシブルプリント配線板６６の先端部に補助電池６０が取り付けられ、このフレキシブルプリント配線板６６における補助電池の取り付け部６８の裏面側６８ａが開口６３から露出する状態で補助電池６０が収納部６２に収納される構造としたことにより、補助電池６０を取り外すときには、開口６３から露出しているフレキシブルプリント配線板６６を指先で摘んで引き出すことでフレキシブルプリント配線板６６と一体に補助電池６０が取り出されるので、極めて容易で、かつ分かり易く補助電池６０を取り出すことができる。
【００３８】
また本例の撮像装置では、回路基板６５に実装されるコネクタ端子６７にフレキシブルプリント配線板６６が差し込まれて接続され、このコネクタ端子６７からフレキシブルプリント配線板６６を引き抜くことにより補助電池６０の取り外しが可能な構造としたことにより、一段と容易で、かつ確実に補助電池６０を取り外すことができる。
【００３９】
さらに本例の撮像装置では、収納部６２に補助電池６０が収納された状態で補助電池６０と当接し、開口６３から露出されるフレキシブルプリント配線板６６の裏面側６８ａが開口６３の開口面とほぼ同一面となるように補助電池６０を支持する支持突起部７０を設けたことにより、開口６３から露出するフレキシブルプリント配線板６６が開口６３から沈み込む状態となることはないので、フレキシブルプリント配線板６６を引き出し易く、常に補助電池６０の取り外しを容易に行なうことができる。
【００４０】
なお、以上の実施例では、カメラ本体の前面に補助電池の収納部を設けてあるが、この補助電池の収納部はカメラ本体の前面に限ることなく、カメラ本体のあらゆる面に配置することができるものである。
【００４１】
また、以上の実施例では、電子機器の一例としてＶＴＲ一体型ビデオカメラに本発明を適用した例を示したが、本発明はこれに限ることなく、バックアップ用の補助電池が組み込まれる各種電子機器に幅広く適用できるものであることは言うまでもない。
【図面の簡単な説明】
【００４２】
【図１】実施例の撮像装置を手で把持した状態を示す斜視図である。
【図２】撮像装置を前面側から見た斜視図である。
【図３】撮像装置を背面側から見た斜視図である。
【図４】撮像装置のパネルモニタを開いた状態を示す斜視図である。
【図５】撮像装置のパネルモニタの使用状態を示す斜視図である。
【図６】撮像装置のカセット収納部を開いた状態を示す斜視図である。
【図７】撮像装置にメモリーカードを挿入する状態を示す斜視図である。
【図８】撮像装置において補助電池の収納部が露出した状態を示す斜視図である。
【図９】補助電池の収納部の構造を示す斜視図で、（Ａ）は補助電池が収納された状態、（Ｂ）は補助電池が取り出された状態である。
【図１０】補助電池の収納部の構造を示す縦断側面図で、（Ａ）は補助電池が収納された状態、（Ｂ）は補助電池が取り出された状態である。
【符号の説明】
【００４３】
１…撮像装置(電子機器)、６０…補助電池、６１…前面板、６２…収納部、６３…開口、６５…回路基板、６６…フレキシブルプリント配線板、６７…コネクタ端子、６８…取り付け部、６８ａ…裏面側、７０…支持突起部(支持部)
【図１】
2006185870.tif 000003
【図２】
2006185870.tif 000004
【図３】
2006185870.tif 000005
【図４】
2006185870.tif 000006
【図５】
2006185870.tif 000007
【図６】
2006185870.tif 000008
【図７】
2006185870.tif 000009
【図８】
2006185870.tif 000010
【図９】
2006185870.tif 000011
【図１０】
2006185870.tif 000012